(57)【要約】【課題】  カメラの姿勢差により撮影が操作部材の配置により制約をうけていた。またはタッチパッドの場所を覚えるなどユーザに負担を強いることがあった。【解決手段】  操作部材に機能を割り当てるのではなく指に割り当てることにより、姿勢の変化時に操作部材の位置による制約を受けない、自由度の大きいカメラを提供する。【選択図】  図３
2006203774.tif 000002
【特許請求の範囲】
【請求項１】
撮像した静止画像及び或いは動画像を記録媒体に記録する画像撮像装置であって、
画像を撮像するための撮像手段と、
撮像した画像を表示するための表示手段と、
操作手段とを有し、
前記操作手段は指判定機能を有し、判別された指に応じて、動作を区別することを特徴とする画像撮像装置。
【請求項２】
請求項１記載の画像撮像装置において、
操作手段はタッチパネルであることを特徴とする画像撮像装置。
【請求項３】
請求項１記載の画像撮像装置において、
操作手段は指の圧力を検出する指圧検出手段を有し、
指の圧力に応じて、動作を区別することを特徴とする画像撮像装置。
【請求項４】
請求項１記載の画像撮像装置において、
指判定機能は指紋検出機能であることを特徴とする画像撮像装置。
【請求項５】
請求項１記載の画像撮像装置において、
各指にどの動作を割り当てるかを画像撮像装置に登録する登録手段を有し、登録された動作に応じて、動作することを特徴とする画像撮像装置。
【請求項６】
撮像した静止画像及び或いは動画像を記録媒体に記録する画像撮像方法であって、
画像を撮像するための撮像手段と、
撮像した画像を表示するための表示手段と、
操作手段とを有し、
前記操作手段は指判定機能を有し、判別された指に応じて、動作を区別することを特徴とする画像撮像方法。
【請求項７】
請求項６記載の画像撮像方法において、
操作手段はタッチパネルであることを特徴とする画像撮像方法。
【請求項８】
請求項６記載の画像撮像方法において、
操作手段は指の圧力を検出する指圧検出手段を有し、
指の圧力に応じて、動作を区別することを特徴とする画像撮像方法。
【請求項９】
請求項６記載の画像撮像方法において、
指判定機能は指紋検出機能であることを特徴とする画像撮像方法。
【請求項１０】
請求項６記載の画像撮像方法において、
各指にどの動作を割り当てるかを画像撮像装置に登録する登録手段を有し、登録された動作に応じて、動作することを特徴とする画像撮像方法。
【発明の詳細な説明】
【技術分野】
【０００１】
本発明はカメラ、デジタルカメラ、デジタルカメラ等の画像撮像装置の操作装置・方法に関するものである。
【背景技術】
【０００２】
近年デジタルカメラの開発が盛んに行われており、撮影者の操作方法として、ボタンをはじめタッチパネルやタッチパッドと様々なユーザインタフェースを搭載した製品が開発されている。たとえば、［特許文献１］などはタッチパッドをカメラのグリップ部に配置し、接触した指の座標によって、表示するメニューを変更する提案がされている。また、［非特許文献１］でもタッチパッドを利用したデジタルカメラが製品化されており、タッチパッドの位置によって機能を振り分けている。
【特許文献１】特開２００３−１６６１００
【非特許文献１】ＳＯＮＹ  ＱＵＯＬＩＡ  ０１６カタログ
【発明の開示】
【発明が解決しようとする課題】
【０００３】
上記の発明ではタッチパッドの場所を覚えるなどユーザに負担を強いることがあった。
【０００４】
またカメラの姿勢差により撮影が操作部材の配置により制約をうけていた。
【課題を解決するための手段】
【０００５】
本発明に係る画像処理装置に於いては、第一に画像を撮像するための撮像手段と、撮像した画像を表示するための表示手段と、操作手段とを有し、前記操作手段は指判定機能を有し、判別された指に応じて、動作を区別することを特徴とする。
【０００６】
第二に操作手段はタッチパネルであることを特徴とする。
【０００７】
第三に操作手段は指の圧力を検出する指圧検出手段を有し、指の圧力に応じて、動作を区別することを特徴とする。
【０００８】
第四に指判定機能は指紋検出機能であることを特徴とする。
【０００９】
第五に各指にどの動作を割り当てるかを画像撮像装置に登録する登録手段を有し、登録された動作に応じて、動作することを特徴とする。
【発明の効果】
【００１０】
上記のように従来操作部材に機能を割り当てていたものが、本発明では指に機能を割り当てることととなり、カメラの姿勢によらない自由度の大きな直感的に撮影可能な画像撮像装置、画像撮像方法を提供することが可能となる。
【発明を実施するための最良の形態】
【００１１】
本発明をデジタルカメラを例に用いて説明をおこなう。
【実施例１】
【００１２】
以下、図面を参照して本発明の実施例を説明する。図１は、本発明の実施例の構成を示す図である。また図２は本発明におけるデジタルカメラの概観図である。
【００１３】
図１において、１００は画像処理装置である。
【００１４】
１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。
【００１５】
１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１６】
２０は画像処理回路であり、Ａ／Ｄ変換器１６からのデータ或いはメモリ制御回路２２からのデータに対して所定の画素補間処理や色変換処理を行う。
【００１７】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。
【００１８】
さらに、画像処理回路２０においては、撮像した画像データを用いて所定の演算処理を行い、得られた演算結果に基づいてＴＴＬ方式のＡＷＢ（オートホワイトバランス）処理も行っている。
【００１９】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００２０】
Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
【００２１】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。
【００２２】
画像表示部２８を用いて撮像した画像データを逐次表示すれば、電子ファインダー機能を実現することが可能である。
【００２３】
また、画像表示部２８は、システム制御回路５０の指示により任意に表示をＯＮ／ＯＦＦすることが可能であり、表示をＯＦＦにした場合には画像処理装置１００の電力消費を大幅に低減することが出来る。
【００２４】
３０は撮影した静止画像や動画像を格納するためのメモリであり、所定枚数の静止画像や所定時間の動画像を格納するのに十分な記憶量を備えている。
【００２５】
これにより、複数枚の静止画像を連続して撮影する連射撮影やパノラマ撮影の場合にも、高速かつ大量の画像書き込みをメモリ３０に対して行うことが可能となる。
【００２６】
また、メモリ３０はシステム制御回路５０の作業領域としても使用することが可能である。
【００２７】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００２８】
４０は絞り機能を備えるシャッター１２を制御する露光制御手段であり、フラッシュ４８と連携することによりフラッシュ調光機能も有するものである。
【００２９】
４２は撮影レンズ１０のフォーカシングを制御する測距制御手段、４４は撮影レンズ１０のズーミングを制御するズーム制御手段、４６はバリアである保護手段１０２の動作を制御するバリア制御手段である。
【００３０】
４８はフラッシュであり、ＡＦ補助光の投光機能、フラッシュ調光機能も有する。
【００３１】
露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００３２】
５０は画像処理装置１００全体を制御するシステム制御回路、５２はシステム制御回路５０の動作用の定数、変数、プログラム等を記憶するメモリである。
【００３３】
５４はシステム制御回路５０でのプログラムの実行に応じて、文字、画像、音声等を用いて動作状態やメッセージ等を表示する液晶表示装置、スピーカー等の表示部であり、画像処理装置１００の操作部近辺の視認し易い位置に単数或いは複数個所設置され、例えばＬＣＤやＬＥＤ、発音素子等の組み合わせにより構成されている。
【００３４】
また、表示部５４は、その一部の機能が光学ファインダー１０４内に設置されている。
【００３５】
表示部５４の表示内容のうち、ＬＣＤ等に表示するものとしては、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。
【００３６】
また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。
【００３７】
５６は電気的に消去・記録可能な不揮発性メモリであり、例えばＥＥＰＲＯＭ等が用いられる。
【００３８】
本実施例において操作は４のタッチパッドを及び操作部７０を用いて行う。７０は、システム制御回路５０の各種の動作指示を入力するための操作手段であり、スイッチやダイアル、タッチパネル、視線検知によるポインティング、音声認識装置等の単数或いは複数の組み合わせで構成される。タッチパッドはカメラの側面を周回しているものとする。
【００３９】
操作部及び表示部によって、どの指に何の機能をあてるかを割り当てることが可能であり、今回は人差し指の低圧時にＳＷ１、高圧時にＳＷ２を割り当てるものとする。タッチパッド４が押され、指紋センサ５が人差し指であることを感知した場合には指圧センサ６で圧力を測定し、低圧であった場合にはシャッタスイッチＳＷ１信号を送る。本操作で、ＡＦ（オートフォーカス）処理、ＡＥ（自動露出）処理、ＡＷＢ（オートホワイトバランス）処理、ＥＦ（フラッシュプリ発光）処理等の動作開始を指示する。
【００４０】
一方、圧力センサにおいて、高圧判定がされた場合にはシャッタースイッチＳＷ２信号を送り、撮影を行う。具体的には撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体に画像データを書き込む記録処理という一連の処理の動作開始を指示する。
【００４１】
６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。
【００４２】
本実施例の動作を図３のフローチャートを用いて説明を行う。簡単のために上記のモードダイヤルスイッチは撮影モードと再生モードの２つのモード切替を行うものとし、登録は右手人差し指の低圧時にはＳＷ１、右手人差し指の高圧時にはＳＷ２、右手薬指の場合には再生／撮影モードの切り替え、左手親指には再生画像の消去が割り当てられているものとする。
【００４３】
カメラ動作を開始し（Ｓ３０１）、まずモードが撮影モードか再生モードかを判断する（Ｓ３０２）。撮影モードの場合（Ｓ３０３）、タッチパッド４が圧力を感知したかどうかを判断し（Ｓ３０４）、まず右手薬指かどうかを見る（Ｓ３０５）。右手薬指であった場合にはモード移行命令であるとして、再生モードへと移行する。右手薬指でなかった場合には次に右手人差し指であるかどうかを判断し（Ｓ３０６）、右手人差し指であった場合には圧力センサの圧力値をみて（Ｓ３０７）、圧力センサの値が決められたしきい値よりも大きい場合には動作はＳＷ２であると判断し（Ｓ３０８）、ＳＷ２命令を行う。またしきい値よりも小さい場合はＳＷ１であると判断して（Ｓ３０９）、ＳＷ１命令を行う。またＳ３０６において右手人差し指でなかった場合には撮影モードで登録されている指による押し下げではないので、また次のタッチパッドの感知を待つためにＳ３０３へ移行する。
【００４４】
Ｓ３０２において、再生モードであった場合（Ｓ３１０）には、撮影モードの場合と同様に、タッチパッド４が圧力を感知したかどうかを判断し（Ｓ３１１）、まず右手薬指かどうかを見る（Ｓ３１２）。右手薬指であった場合にはモード移行命令であるとして、撮影モードへと移行する。右手薬指でなかった場合には次に右手親指であるかどうかを判断し（Ｓ３１３）、親指であった場合には画像消去命令であると判断し、現在表示されている画像を消去する（Ｓ３１４）。Ｓ３１３において右手親指でなかった場合には、再生モードで登録されている指による押し下げではないので、また次のタッチパッドの感知を待つためにＳ３１０へ移行する。
【００４５】
今回の実施例では登録されている指が３本であったが、当然のことながら本数は増えても構わないし、機能の割り当てをＧＵＩを用いてユーザーが編集したり、あらかじめカメラの仕様として決められているという場合も考えられる。
【００４６】
本発明によって、従来操作部材に機能を割り当てていたものが、指に機能を割り当てることととなり、カメラの姿勢によらない自由度の大きな直感的に撮影可能な画像撮像装置、画像撮像方法を提供することが可能となる。本実施例においてはタッチパッドをカメラの周囲全面に配置しているため、カメラの姿勢が横位置であろうが、たて位置であろうが、必ず撮影者の姿勢は同様で撮影することが可能となる。
【図面の簡単な説明】
【００４７】
【図１】本実施例のブロック図である
【図２】本実施例の外観図である。
【図３】本実施例のフローチャートである。
【符号の説明】
【００４８】
４  タッチパッド
５  指紋センサ
６  指圧センサ
７  判定器
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
６６  画像表示ＯＮ／ＯＦＦスイッチ
６８  クイックレビューＯＮ／ＯＦＦスイッチ
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
２０２  記録部
２０４  インタフェース
【図１】
2006203774.tif 000003
【図２】
2006203774.tif 000004
【図３】
2006203774.tif 000005